【手続補正書】
【提出日】平成24年10月25日(2012.10.25)
【手続補正１】
【補正対象書類名】特許請求の範囲
【補正対象項目名】全文
【補正方法】変更
【補正の内容】
【特許請求の範囲】
【請求項１】
少なくとも１つの液晶表示パネルを形成するために必要な面積をそれぞれが有する矩形状の１対の透明基板の何れか一方に前記少なくとも１つの液晶表示パネルの形成領域を囲むようにして少なくとも１つの素子シール材を形成する素子シール材形成工程と、
前記１対の透明基板の何れか一方又は他方である外周シール材形成用透明基板の外周の１辺乃至３辺の何れかである外周シール材形成辺に沿ってその全長に亘って延在させて外周シール材を形成する外周シール材形成工程と、
前記１対の透明基板の間に前記少なくとも１つの素子シール材と前記外周シール材とが介在するように該１対の透明基板を貼り合わせる基板貼り合わせ工程と、
前記貼り合わせ後の１対の透明基板によって形成された構成体の外周面のうちの前記外周シール材形成辺を除く残りの辺に沿った外周面に該残りの辺の全長に亘って、前記外周シール材によって囲まれた領域に前記少なくとも１つの素子シール材が含まれるように該外周シール材と繋げて前記外周シール材とは異なる材料からなる外周封止材を形成する外周封止工程と、
少なくとも前記外周シール材と重なる位置を切断位置として前記貼り合わせ後の１対の透明基板を切断する第１基板切断工程と、
を含むことを特徴とする液晶表示パネル形成用構成体の製造方法。
【請求項２】
前記外周シール材形成工程において、前記外周シール材の延在方向における両端のうち少なくとも一端が前記外周シール材形成用透明基板の外周辺に重なる端部重畳外周シール材を含むように、該外周シール材を形成することを特徴とする請求項１に記載の液晶表示パネル形成用構成体の製造方法。
【請求項３】
前記外周シール材形成工程において、前記端部重畳外周シール材を、前記外周シール材形成用透明基板の外周の対向する２辺に沿って形成することを特徴とする請求項２に記載の液晶表示パネル形成用構成体の製造方法。
【請求項４】
前記切断位置は、全体が前記外周シール材と重なっていることを特徴とする請求項１から３の何れか一項に記載の液晶表示パネル形成用構成体の製造方法。
【請求項５】
前記外周シール材は、全体が前記切断位置と重なっていることを特徴とする請求項１から３の何れか一項に記載の液晶表示パネル形成用構成体の製造方法。
【請求項６】
少なくとも１つの液晶表示パネルを形成するために必要な面積をそれぞれが有する矩形状の１対の透明基板の何れか一方に前記少なくとも１つの液晶表示パネルの形成領域を囲むようにして少なくとも１つの素子シール材を形成する素子シール材形成工程と、
前記１対の透明基板の何れか一方又は他方である外周シール材形成用透明基板に形成された少なくとも１つの素子シール材を取り囲むように外周シール材を形成する外周シール材形成工程と、
前記外周シール材形成用透明基板に形成された前記素子シール材によって囲まれる領域内に、液晶を滴下する液晶滴下工程と、
前記１対の透明基板の間に前記少なくとも１つの素子シール材と前記外周シール材とが介在するように該１対の透明基板を貼り合わせる基板貼り合わせ工程と、
前記外周シール材と重なる位置を切断位置として前記貼り合わせ後の１対の透明基板を切断する第１基板切断工程と、次いで、
前記第１基板切断工程の後に、前記１対の透明基板をエッチングして前記１対の透明基板の厚さを薄くするエッチング工程と、
を含むことを特徴とする液晶表示パネル形成用構成体の製造方法。
【請求項７】
前記外周シール材は、全体が前記切断位置と重なっていることを特徴とする請求項６に記載の液晶表示パネル形成用構成体の製造方法。
【請求項８】
少なくとも１つの液晶表示パネルを形成するために必要な面積をそれぞれが有する矩形状の１対の透明基板が、前記少なくとも１つの液晶表示パネルの形成領域を囲むようにして形成された少なくとも１つの素子シール材を介して貼り合わされた液晶表示パネル形成用構成体であって、
前記１対の透明基板の外周のうち少なくとも２辺の全体に沿って延在し、その延在方向の全長に亘って前記１対の透明基板の両方に当接し、該延在方向に沿った端面全体が前記１対の透明基板の外周辺と重なっている外周シール材と、
前記１対の透明基板の外周のうち前記外周シール材が形成されていない辺の全体に沿って延在し、その延在方向の全長に亘って前記１対の透明基板の両方に当接し、前記外周シール材によって囲まれた領域に前記少なくとも１つの素子シール材が含まれるように前記外周シール材と繋がって形成された前記外周シール材とは異なる材料からなる外周封止材と、を備えることを特徴とする液晶表示パネル形成用構成体。
【請求項９】
前記外周封止材は前記１対の透明基板の外周のうち対向する２辺に沿って延在し、前記外周シール材は前記１対の透明基板の外周のうち対向する残りの２辺に沿って延在していることを特徴とする請求項８に記載の液晶表示パネル形成用構成体。
【請求項１０】
少なくとも１つの液晶表示パネルを形成するために必要な面積をそれぞれが有する矩形状の１対の透明基板が、前記少なくとも１つの液晶表示パネルの形成領域を囲むようにして形成された少なくとも１つの素子シール材を介して貼り合わされた液晶表示パネル形成用構成体であって、
前記１対の透明基板の外周の４辺に沿って全体が連続的に繋がった枠状となるように延在し、その延在方向の全長に亘って前記１対の透明基板の両方に当接し、該延在方向に沿った端面全体が前記１対の透明基板の外周辺と重なっている外周シール材を備えることを特徴とする液晶表示パネル形成用構成体。
【手続補正２】
【補正対象書類名】明細書
【補正対象項目名】発明の名称
【補正方法】変更
【補正の内容】
【発明の名称】液晶表示パネル形成用構成体及びその製造方法
【手続補正３】
【補正対象書類名】明細書
【補正対象項目名】０００１
【補正方法】変更
【補正の内容】
【０００１】
本発明は、液晶表示パネルを形成するための液晶表示パネル形成用構成体及びその製造方法に関する。
【手続補正４】
【補正対象書類名】明細書
【補正対象項目名】０００６
【補正方法】変更
【補正の内容】
【０００６】
本発明は、上記の事情に鑑みてなされたもので、安定した品質の液晶表示パネル形成用構成体と、その液晶表示パネル形成用構成体を製造することが可能な液晶表示パネル形成用構成体の製造方法を提供することを目的とする。
【手続補正５】
【補正対象書類名】明細書
【補正対象項目名】０００７
【補正方法】変更
【補正の内容】
【０００７】
上記の目的を達成するために、本発明の第１の態様の液晶表示パネル形成用構成体の製造方法は、少なくとも１つの液晶表示パネルを形成するために必要な面積をそれぞれが有する矩形状の１対の透明基板の何れか一方に前記少なくとも１つの液晶表示パネルの形成領域を囲むようにして少なくとも１つの素子シール材を形成する素子シール材形成工程と、前記１対の透明基板の何れか一方又は他方である外周シール材形成用透明基板の外周の１辺乃至３辺の何れかである外周シール材形成辺に沿ってその全長に亘って延在させて外周シール材を形成する外周シール材形成工程と、前記１対の透明基板の間に前記少なくとも１つの素子シール材と前記外周シール材とが介在するように該１対の透明基板を貼り合わせる基板貼り合わせ工程と、前記貼り合わせ後の１対の透明基板によって形成された構成体の外周面のうちの前記外周シール材形成辺を除く残りの辺に沿った外周面に該残りの辺の全長に亘って、前記外周シール材によって囲まれた領域に前記少なくとも１つの素子シール材が含まれるように該外周シール材と繋げて前記外周シール材とは異なる材料からなる外周封止材を形成する外周封止工程と、少なくとも前記外周シール材と重なる位置を切断位置として前記貼り合わせ後の１対の透明基板を切断する第１基板切断工程と、を含むことを特徴とする。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
上記の目的を達成するために、本発明の第３の態様の液晶表示パネル形成用構成体の製造方法は、少なくとも１つの液晶表示パネルを形成するために必要な面積をそれぞれが有する矩形状の１対の透明基板の何れか一方に前記少なくとも１つの液晶表示パネルの形成領域を囲むようにして少なくとも１つの素子シール材を形成する素子シール材形成工程と、前記１対の透明基板の何れか一方又は他方である外周シール材形成用透明基板に形成された少なくとも１つの素子シール材を取り囲むように外周シール材を形成する外周シール材形成工程と、前記外周シール材形成用透明基板に形成された前記素子シール材によって囲まれる領域内に、液晶を滴下する液晶滴下工程と、前記１対の透明基板の間に前記少なくとも１つの素子シール材と前記外周シール材とが介在するように該１対の透明基板を貼り合わせる基板貼り合わせ工程と、前記外周シール材と重なる位置を切断位置として前記貼り合わせ後の１対の透明基板を切断する第１基板切断工程と、次いで、前記第１基板切断工程の後に、前記１対の透明基板をエッチングして前記１対の透明基板の厚さを薄くするエッチング工程と、を含むことを特徴とする。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
上記の目的を達成するために、本発明の第５の態様の液晶表示パネル形成用構成体は、少なくとも１つの液晶表示パネルを形成するために必要な面積をそれぞれが有する矩形状の１対の透明基板が、前記少なくとも１つの液晶表示パネルの形成領域を囲むようにして形成された少なくとも１つの素子シール材を介して貼り合わされた液晶表示パネル形成用構成体であって、前記１対の透明基板の外周のうち少なくとも２辺の全体に沿って延在し、その延在方向の全長に亘って前記１対の透明基板の両方に当接し、該延在方向に沿った端面全体が前記１対の透明基板の外周辺と重なっている外周シール材と、前記１対の透明基板の外周のうち前記外周シール材が形成されていない辺の全体に沿って延在し、その延在方向の全長に亘って前記１対の透明基板の両方に当接し、前記外周シール材によって囲まれた領域に前記少なくとも１つの素子シール材が含まれるように前記外周シール材と繋がって形成された前記外周シール材とは異なる材料からなる外周封止材と、を備えることを特徴とする。
【手続補正１０】
【補正対象書類名】明細書
【補正対象項目名】００１２
【補正方法】削除
【補正の内容】
【手続補正１１】
【補正対象書類名】明細書
【補正対象項目名】００１４
【補正方法】変更
【補正の内容】
【００１４】
本発明によれば、安定した品質の液晶表示パネル形成用構成体と、その液晶表示パネル形成用構成体を製造することが可能な液晶表示パネル形成用構成体の製造方法を提供することができる。